(57)【要約】【課題】折り戸のランナーを軽い力で簡単に固定することができ、しかも確実にランナーを保持してパネルの転倒を防止できる折り戸の支持構造を提供する。【解決手段】上ガイドレール１に固定される保持ベース２６と、保持ベース２６で水平揺動可能に軸支される捕捉腕２８と、捕捉腕２８を係合付勢するばね２９とで保持具９を構成する。保持ベース２６と捕捉腕２８との間に、上ランナー５を受け入れる捕捉空間Ｓを確保する。捕捉腕２８は、ランナー軸１３を係合捕捉する捕捉凹部４６と、捕捉凹部４６の周囲一部に開口される係脱口４７と、係脱口４７に連続して設けられる係合案内部４８とを備えている。上ランナー５を上ガイドレール１に沿って捕捉空間Ｓへ向かって移動操作する過程で、ランナー軸１３で捕捉腕２８を係合解除方向へ変位操作して、捕捉腕２８の捕捉凹部４６でランナー軸１３を自動的に係合捕捉する。【選択図】図１
2009256984.tif 000002
【特許請求の範囲】
【請求項１】
吊元側の戸パネル（Ｐ１）の上下に設けた上ランナー（５）とピボット軸（６）とが、上ガイドレール（１）に設けた保持具（９）と下ガイドレール（２）に設けたソケット（８）とでそれぞれ支持してある折り戸の支持構造であって、
上ランナー（５）は、戸パネル（Ｐ１）に設けたランナー軸（１３）で縦軸回りに回転自在に軸支されるローラ（１５）を備えており、
保持具（９）は、上ガイドレール（１）に固定される保持ベース（２６）と、保持ベース（２６）で揺動軸（２７）を介して水平揺動可能に軸支される捕捉腕（２８）と、捕捉腕（２８）を係合付勢するばね（２９）とを含み、
保持ベース（２６）と捕捉腕（２８）との間に、ローラ（１５）を受け入れる捕捉空間（Ｓ）が確保されており、
捕捉腕（２８）は、ランナー軸（１３）を係合捕捉する捕捉凹部（４６）と、捕捉凹部（４６）の周囲一部に開口される係脱口（４７）と、係脱口（４７）に連続して設けられる係合案内部（４８）とを含んで形成されており、
ローラ（１５）を上ガイドレール（１）に沿って捕捉空間（Ｓ）へ向かって移動操作する過程で、捕捉腕（２８）がランナー軸（１３）で係合解除方向へ変位操作されて、捕捉腕（２８）の捕捉凹部（４６）でランナー軸（１３）を自動的に係合捕捉できることを特徴とする折り戸の支持構造。
【請求項２】
上ランナー（５）が、上ガイドレール（１）で移行案内されるローラ（１５）と、ローラ（１５）の下部周囲に張り出されるフランジ（１５ｂ）とを一体に備えており、
ランナー軸（１３）を捕捉腕（２８）の捕捉凹部（４６）で係合捕捉して、ローラ（１５）が捕捉空間（Ｓ）に位置保持された状態において、ローラ（１５）のフランジ（１５ｂ）が捕捉凹部（４６）の周縁壁（５２）で受け止め支持されている請求項１記載の折り戸の支持構造。
【請求項３】
保持ベース（２６）が、捕捉腕（２８）を軸支する吊元ボス（３２）と、上ガイドレール（１）の上壁内面に固定される締結ベース（３３）とを一体に備えており、
捕捉腕（２８）が、揺動軸（２７）で軸支される基端部（４４）と、捕捉凹部（４６）、係脱口（４７）、および係合案内部（４８）を備えたフック部（４５）とを一体に備えており、
保持ベース（２６）の吊元ボス（３２）と、捕捉腕（２８）の基端部（４４）との接合面（３５・５０）のそれぞれにばね凹部（３６・５１）が凹み形成されて、両ばね凹部（３６・５１）に圧縮コイル形のばね（２９）が収容してある請求項２記載の折り戸の支持構造。
【請求項４】
吊元ボス（３２）と基端部（４４）とのいずれか一方に、捕捉腕（２８）が係合方向へ揺動するときの揺動限界を規定するストッパー（３７）が設けてある請求項３記載の折り戸の支持構造。
【請求項５】
ストッパー（３７）が両ばね凹部（３６・５１）のいずれか一方の内部に突設されて、ばね（２９）の一端を受け止め支持している請求項４記載の折り戸の支持構造。
【請求項６】
保持具（９）が、上ガイドレール（１）に挟持固定される保持ベース（２６）および挟持片（５４）と、保持ベース（２６）で揺動軸（２７）を介して水平揺動可能に軸支される捕捉腕（２８）と、捕捉腕（２８）を係合付勢するばね（２９）とを含み、
保持ベース（２６）に下面側から挿通した揺動軸（２７）を挟持片（５４）にねじ込んで、保持ベース（２６）と挟持片（５４）とが上ガイドレール（１）の受け座（１ａ）を上下に挟持する状態で固定してある請求項１または２記載の折り戸の支持構造。
【発明の詳細な説明】
【技術分野】
【０００１】
本発明は、戸パネルの吊元側の上下に設けた上ランナーとピボット軸とが、保持具とソケットとでそれぞれ支持してある折り戸の支持構造に関する。
【背景技術】
【０００２】
折り戸において、戸パネルの吊元側の上下ランナーをレールに固定した支持具で軸支してピボット構造に利用することは公知である。例えば、特許文献１の折り戸においては、レールに固定したピボット受体でピボット軸を軸支して、折り戸を回動自在に支持している。ピボット受体には、ピボット軸を移行案内する傾斜面と、ピボット軸と係合する挿入孔とが設けてある。折り戸を取り付ける際には、ピボット軸を傾斜面に沿ってスライド移動させて、挿入孔に落とし込み係合する。
【０００３】
本発明においては、揺動する捕捉腕でランナー軸を軸側方から係合捕捉するが、この種の支持構造は、特許文献２に公知である。そこでは、下レールに固定される固定部と、固定用ボルトを介して回動自在に軸支される基板とで、ピボット受金具を構成している。前記基板には、ピボットを係合捕捉するピボット軸受部が設けてある。折り戸を取り付ける際には、固定部をレール内に挿入して仮組みし、基板を揺動操作してピボット軸受部を折り戸のピボット軸に係合したのち、固定用ボルトを締め付け基板を揺動不能に固定する。
【０００４】
【特許文献１】特開２００４−２２５２４５号公報（第４頁、図２）
【特許文献２】特許第３２３２２４５号公報（第３〜４頁、図２）
【発明の開示】
【発明が解決しようとする課題】
【０００５】
特許文献１の取り付け構造では、ピボット軸が折り戸内に沈み込みながら傾斜面に沿って移動した後、挿入孔に落とし込み係合する。このとき、ピボット軸がスプリングで折り戸から突出する向きに押し出し付勢されているので、ピボット軸と傾斜面との間に大きな摩擦抵抗が生じ、折り戸の取り付けに少なからず力を要する。また、挿入孔がガイドレール内にあるので、ピボット軸が挿入孔に確実に挿入されているかどうかを目視によって確認できない。さらに、ピボット軸と挿入孔との係合状態はスプリングで保持されているものの、折り戸に強い衝撃が加わるような場合にピボット軸が挿入孔から抜け外れて、折り戸が転倒するおそれがある。折り戸を取り外す際には、ガイドレールと折り戸との間の狭い空間内でピボット軸を押し下げなければならないので、折り戸の取り外し作業に多くの手間が掛かる。
【０００６】
特許文献２のピボットの固定構造では、下レールに基板と固定ボルトを配置するので、ピボット軸の固定状態を目視して、確実に固定できたか否かを容易に判断できる。しかし、折り戸を支えた状態で、基板を揺動操作してピボット軸に係合する必要があるので、折り戸の取り付けを一人の作業者のみで行うことができない。さらに、下レールと折り戸の間に、固定ボルトをねじ込み操作するための工具挿入用の隙間が必要となるため、折り戸の見栄えが悪くなる。
【０００７】
本発明の目的は、折り戸をより軽い力で簡単に取り付けられること、折り戸に強い衝撃が加わる場合でも、ランナーの係合状態を保持して折り戸の転倒を確実に防止できること、を満足できる折り戸の支持構造を提供するにある。本発明の目的は、折り戸の固定状態を簡単にしかも明確に確認できるようにすること、必要に応じてランナーの係合状態を簡単に解除して、折り戸の取り外し作業を容易に行えること、を満足できる折り戸の支持構造を提供するにある。本発明の目的は、取付位置を簡単に調整できるようにして、施工性の良好な折り戸の支持構造を提供することにある。
【課題を解決するための手段】
【０００８】
本発明の折り戸の支持構造は、戸パネルＰの吊元側の上下に設けた上ランナー５とピボット軸６とを、上ガイドレール１に設けた保持具９と下ガイドレール２に設けたソケット８とでそれぞれ支持する。上ランナー５は、戸パネルＰに設けたランナー軸１３で縦軸回りに回転自在に軸支されるローラ１５を備えている。保持具９は、上ガイドレール１に固定される保持ベース２６と、保持ベース２６で揺動軸２７を介して水平揺動可能に軸支される捕捉腕２８と、捕捉腕２８を係合付勢するばね２９とを含んで構成する。保持ベース２６と捕捉腕２８との間に、ローラ１５を受け入れる捕捉空間Ｓを確保する。捕捉腕２８は、ランナー軸１３を係合捕捉する捕捉凹部４６と、捕捉凹部４６の周囲一部に開口される係脱口４７と、係脱口４７に連続して設けられる係合案内部４８とを含んで形成する。以て、ローラ１５を上ガイドレール１に沿って捕捉空間Ｓへ向かって移動操作する過程で、捕捉腕２８がランナー軸１３で係合解除方向へ変位操作されて、捕捉腕２８の捕捉凹部４６でランナー軸１３を自動的に係合捕捉できることを特徴とする。
【０００９】
上ランナー５は、上ガイドレール１で移行案内されるローラ１５と、ローラ１５の下部周囲に張り出されるフランジ１５ｂとを一体に備えている。ランナー軸１３を捕捉腕２８の捕捉凹部４６で係合捕捉して、ローラ１５が捕捉空間Ｓに位置保持された状態において、ローラ１５のフランジ１５ｂを捕捉凹部４６の周縁壁５２で受け止め支持する。
【００１０】
保持ベース２６は、捕捉腕２８を軸支する吊元ボス３２と、上ガイドレール１の上壁内面に固定される締結ベース３３とを一体に備えている。捕捉腕２８は、揺動軸２７で軸支される基端部４４と、捕捉凹部４６、係脱口４７、および係合案内部４８を備えたフック部４５とを一体に備えている。保持ベース２６の吊元ボス３２と、捕捉腕２８の基端部４４との接合面３５・５０のそれぞれにばね凹部３６・５１を凹み形成し、両ばね凹部３６・５１に圧縮コイル形のばね２９を収容する。
【００１１】
吊元ボス３２と基端部４４とのいずれか一方に、捕捉腕２８が係合方向へ揺動するときの揺動限界を規定するストッパー３７を設ける。好ましくは、ストッパー３７を両ばね凹部３６・５１のいずれか一方の内部に突設して、ストッパー３７でばね２９の一端を受け止め支持する。
【００１２】
保持具９を上ガイドレール１に挟持固定される保持ベース２６および挟持片５４と、保持ベース２６で揺動軸２７を介して水平揺動可能に軸支される捕捉腕２８と、捕捉腕２８を係合付勢するばね２９とを含んで構成する。保持ベース２６に下面側から挿通した揺動軸２７を挟持片５４にねじ込んで、保持ベース２６と挟持片５４とで上ガイドレール１の受け座１ａを上下に挟持する状態で固定する。
【発明の効果】
【００１３】
本発明の支持構造においては、上ランナー５のランナー軸１３を保持具９に固定するとき、上ガイドレール１でガイドした上ランナー５を捕捉空間Ｓへ向かって移動させるだけで、ランナー軸１３を捕捉腕２８で自動的に係合捕捉できるようにした。詳しくは、上ランナー５を上ガイドレール１に沿って捕捉空間Ｓへ向かって移動させることで、ランナー軸１３が捕捉腕２８の係合案内部４８に接当して、捕捉腕２８をばね２９の付勢力に抗しながら係合解除方向に変位させる。そして、ランナー軸１３が係合案内部４８を通過して係脱口４７に達すると、捕捉腕２８がばね２９の付勢力によって係合姿勢に復帰するので、その捕捉凹部４６でランナー軸１３を自動的に係合捕捉できるようにした。
【００１４】
以上のように本発明の支持構造によれば、上ランナー５を上ガイドレール１で移行案内しながら捕捉空間Ｓへ向かって移動させるだけの簡単な操作で、ランナー軸１３を捕捉腕２８で自動的に係合捕捉して、ランナー軸１３を保持具９に固定することができるので、従来のこの種の支持構造に比べて、折り戸をより軽い力で簡単に取り付けられる。また、捕捉腕２８をばね２９の付勢力に抗しながら係合解除方向へ揺動操作するだけで、ランナー軸１３と捕捉腕２８との係合状態を簡単に解除できるので、折り戸の取り外し作業を一人の作業者のみで容易に行える。さらに、捕捉腕２８の捕捉凹部４６とランナー軸１３の係合状態を目視することにより、ランナー軸１３が確実に係合捕捉されたか否かを簡単にしかも明確に確認できる。
【００１５】
上ランナー５が捕捉空間Ｓに位置する状態で、上ランナー５のフランジ１５ｂを捕捉凹部４６の周縁壁５２で受け止め支持する支持構造によれば、例えば、折り戸に強い衝撃が加わるような場合でも、フランジ１５ｂを先の周縁壁５２で受け止めて、ランナー軸１３と捕捉腕２８との係合状態を維持できるので、折り戸の転倒を確実に防止できる。仮に、下側のピボット軸６がソケット８から抜け外れるような場合でも、ランナー軸１３が捕捉腕２８から分離するのを防止できる。
【００１６】
保持ベース２６の吊元ボス３２と、捕捉腕２８の基端部４４との接合面３５・５０のそれぞれにばね凹部３６・５１を凹み形成し、両ばね凹部３６・５１に圧縮コイル形のばね２９を収容すると、保持具９の全体高さ寸法を小さくできるので、上ガイドレール１と折り戸との隙間を小さくでき、しかも保持具９の外面にばね２９が露出するのを防止して、保持ベース２６の外観状の印象を簡素ですっきりとしたものとすることができる。
【００１７】
吊元ボス３２と基端部４４とのいずれか一方にストッパー３７を設け、捕捉腕２８が係合方向へ揺動するときの揺動限界をストッパー３７で規定すると、ランナー軸１３を係合捕捉したときの捕捉腕２８の姿勢を常に一定にできる。つまり、ランナー軸１３を常に一定位置で軸支して、ランナー軸１３と下方のピボット軸６を同一中心軸線上に位置させることができ、これにより折り戸の揺動開閉動作を円滑に行える。また、折り戸が保持具９に組み付けられる以前の状態においては、捕捉腕２８の係合案内部４８を位置決めした状態で上ランナー５の移行軌跡に臨ませることができるので、ランナー軸１３による捕捉腕２８の押し退け操作を常に確実に行うことができる。
【００１８】
ストッパー３７を両ばね凹部３６・５１のいずれか一方の内部に突設すると、ストッパーを設けるスペースを別途設ける必要がない。したがって、保持具９の全体をコンパクトにできる。また、ストッパー３７を両ばね凹部３６・５１で保護して、ストッパー３７が他物と接触して作動不良に陥ることを一掃できる。
【００１９】
上ガイドレール１に対して保持具９を、保持ベース２６に下面側から挿通した揺動軸２７を挟持片５４にねじ込んで、保持ベース２６と挟持片５４とで上ガイドレール１の受け座１ａを上下に挟持する状態で固定する。これによれば、保持具９を固定する場合には、揺動軸２７を締め込み方向に回転操作するだけでガイドレール１に固定できる。また、揺動軸２７を緩み方向に回転操作して挟持片５４のねじ込み固定を解除するだけで、保持具９の固定を解除できる。したがって、保持具９の位置の固定と解除が簡単に行えるので吊り込み位置を簡単に調整でき、施工性の向上に貢献できる。既存の上ガイドレール１に対しても保持具９を簡便に装着できる。
【発明を実施するための最良の形態】
【００２０】
（実施例）  図１ないし図９に本発明に係る折り戸の支持構造の実施例を示す。折り戸は、吊元側の戸パネルＰ１と移動側の戸パネルＰ２の隣接縁どうしをヒンジ３で連結して構成してあり、開口枠の上下に設けた左右方向に長い上下のガイドレール１・２で屈折開閉自在に案内支持されている。移動側の戸パネルＰ２の屈曲縁の近傍に把手４を備える。図１および図２に示すように、各戸パネルＰ１・Ｐ２の上面の両側端には、上ガイドレール１で案内支持される上ランナー５・５が装着されている。また、吊元側の戸パネルＰ１の下面側端にはピボット軸６が設けられ、移動側の戸パネルＰ２の下面側端には下ガイドレール２で案内支持される下ランナー７が装着されている。
【００２１】
吊元側の戸パネルＰ１に設けた上ランナー５とピボット軸６を、上下のガイドレール１・２にそれぞれ設けた保持具９とソケット８とで軸支することにより、折り戸のピボット構造として機能させる。これにより、折り戸は図２に向かって左側に開操作できる。図６に示すように、上ガイドレール１は断面コ字状のアルミニウム条材からなり、その前後壁の各開口縁には内外に張り出す受け座１ａ・１ａが一体に形成してある。上ガイドレール１は、その開口縁が下向きになる状態で開口枠の上部に埋設固定してある。下ガイドレール２は、上向きに開口するコ字状のレール溝２ａを備えるアルミニウム条材からなり、床面にビスで固定される。
【００２２】
図１において、上ランナー５は、縦長筒状のケース１２内にランナー軸１３と、ランナー軸１３を進出付勢する圧縮コイル形のばね１４を収容し、ケース１２の外に突出するランナー軸１３の軸端にローラ１５を回転自在に軸支してなる。ケース１２の全体は、戸パネルＰ１に圧嵌装着されてパネル内に埋設されている。ローラ１５は円錘台状のローラ本体１５ａとローラ本体１５ａの下部周囲に張り出し形成されるフランジ１５ｂとでハット形に形成してある。ローラ１５はそのフランジ１５ｂの上面が受け座１ａに押し付けられた状態で上ガイドレール１に沿って転動する。
【００２３】
ピボット軸６は、戸パネルＰ１に埋設固定されるケース１７と、ケース１７の下面に突出する支軸１８と、支軸１８をロック固定するナット１９などで構成する。支軸１８の軸周面にはねじ部１８ａが形成してあり、ケース１７に対するねじ部１８ａのねじ込み量を調整することで、折り戸の高さを調整変更できる。下ランナー７は上ランナー５と同様の構成であり、そのケース１２の全体は、戸パネルＰ２に圧嵌装着されてパネル内に埋設固定されている。
【００２４】
下ガイドレール２の吊元側のレール端には、ピボット軸６を支持するためのソケット８を配置する。ソケット８は金属薄板のプレス成形品であり、図１および図６に示すように、ベース２０の上面一側にカップ状の軸受け部２１を膨出形成して、他側に長孔状のビス孔２２を開口してある。このビス孔２２を介してビス２３をねじ込むことにより、ソケット８を下ガイドレール２に固定できる。
【００２５】
上ガイドレール１の吊元側のレール端には、上ランナー５を捕捉保持する保持具９を配置する。図３において、保持具９は、上ガイドレール１に締結固定される保持ベース２６と、保持ベース２６で揺動軸２７を介して軸支される捕捉腕２８と、捕捉腕２８を係合付勢するばね２９などで構成する。
【００２６】
保持ベース２６は、揺動軸２７を軸支する吊元ボス３２と、上ガイドレール１の上壁内面に固定される締結ベース３３とを一体に備えたＬ字状のプラスチック成形品からなる。吊元ボス３２の前後面には、上ガイドレール１の受け座１ａ・１ａと係合する溝３４・３４が形成してある。吊元ボス３２の捕捉腕２８との接合面３５には、ばね２９を収容するばね凹部３６が部分円弧状に形成され、ばね凹部３６の一端側にストッパー３７が突設してある。吊元ボス３２の下面中央には、後述する捕捉腕２８を軸支する支持筒３８が形成してある。支持筒３８の下面から保持ベース２６の上面に向かって、揺動軸２７用の軸孔３９が上下貫通状に形成してある。締結ベース３３には、長孔状のビス孔４０が開設されている。溝３４・３４が受け座１ａ・１ａと係合する状態で、保持ベース２６をレール内に挿入して、締結ベース３３のビス孔４０にビス４１を挿通してねじ込むことにより、保持ベース２６を上ガイドレール１に固定できる。
【００２７】
図３ないし図５に示すように、捕捉腕２８は、略小判形状の基端部４４と、鎌状のフック部４５とを一体に形成したプラスチック成形品からなる。フック部４５の一側に釣針形状の捕捉凹部４６が切り欠き形成され、捕捉凹部４６の開口部分、すなわち係脱口４７とフック部４５の側端部分との間に、部分円弧状の係合案内部４８が形成してある。基端部４４には、保持ベース２６の支持筒３８で軸支されるボス孔４９が開口してある。基端部４４の吊元ボス３２との接合面５０には、先のばね凹部３６に対応するばね凹部５１が部分円弧状に凹み形成してある。両ばね凹部３６・５１は揺動軸の近傍に配置してあり、その深さは、ばね２９の半径より若干大きく設定してある。
【００２８】
保持ベース２６と捕捉腕２８とは、以下の手順で組み立てる。まず、保持ベース２６のばね凹部３６にばね２９を嵌め込んで、ばね２９の両端をストッパー３７とばね凹部３６の端面で受け止める。次に、捕捉腕２８の基端部４４を保持ベース２６の吊元ボス３２に接合して、ボス孔４９を支持筒３８に嵌め込み、同時にばね凹部５１を先のばね凹部３６に被せ付ける。これにより、ばね２９およびストッパー３７がばね凹部５１内に収容されて、保持ベース２６と捕捉腕２８との両接合面３５・５０が密着する。最後に揺動軸２７を保持ベース２６の軸孔３９に捕捉腕２８側から差し込み、保持ベース２６の上側に露出する揺動軸２７の先端をかしめて固定する。以上により、捕捉腕２８は保持ベース２６で水平揺動可能に軸支され、ばね２９で係合方向に揺動付勢される。また、ストッパー３７によって、捕捉腕２８が係合方向へ揺動するときの揺動限界が規定される。
【００２９】
戸パネルＰ１・Ｐ２を上下のガイドレール１・２に組み込むときは、上下のガイドレール１・２の吊元側に保持具９とソケット８とを取り付けた状態で折り戸を組み付ける。まず、図７に示すようにピボット軸６の支軸１８をソケット８の軸受け部２１に差し込む。この状態で、折りたたんだ状態の折り戸の全体を僅かに傾斜させて、上ランナー５のローラ１５を上ガイドレール１に当てがう。このとき、ローラ本体１５ａが前後の受け座１ａ・１ａの間に挿入され、さらに、フランジ１５ｂの上面が受け座１ａ・１ａの下面に押し付けられるので、ローラ１５はレール幅方向への動きが規制される。
【００３０】
上記の状態から、ピボット軸６の支軸１８を支点にして折り戸の上部を保持具９の捕捉空間Ｓへ向かって接近移動させると、ランナー軸１３が捕捉腕２８の係合案内部４８に当接する。そして、図８に示すようにランナー軸１３が係合案内部４８を押し退けて、捕捉腕２８をばね２９の付勢力に抗して係合解除方向へ変位操作する。このとき、図８および図９に示すように、ばね２９はストッパー３７へ向かって圧縮変形される。なお、ランナー軸１３が係合案内部４８を押し退け操作する状態では、係合案内部４８より揺動軸２７に近い側にばね２９が設けてあるので、捕捉腕２８をてこの原理によって軽い力で回転変位できることとなる。
【００３１】
ランナー軸１３が係合案内部４８を乗り越えて係脱口４７の内部に入り込むと、それまでランナー軸１３の周面で支えられていた捕捉腕２８は、支えを失ってばね２９の付勢力で係合方向へ復帰揺動し、その捕捉凹部４６がランナー軸１３を係合捕捉する。同時に、ローラ１５が捕捉空間Ｓ内に保持される。
【００３２】
上記のように、ランナー軸１３を捕捉腕２８で係合捕捉した状態においては、ローラ本体１５ａが前後の受け座１ａ・１ａで移動規制されているので、ランナー軸１３が係脱口４７の側へ移動することはなく、また、係脱口４７と対向する捕捉凹部４６の内周面に接当することもない。しかし、戸パネルＰ１が吊元側から離れる向きに引っ張られる場合には、ランナー軸１３が捕捉凹部４６の開放端側の内周面に接当する余地がある。しかし、ランナー軸１３が捕捉凹部４６の開放端側の内周面に接当した状態で、戸パネルＰ１にパネル厚み方向の外力が作用したとしても、捕捉腕２８がランナー軸１３によって係合解除方向へ動かされることはなく、したがって、捕捉腕２８とランナー軸１３との係合状態を確実に維持することができる。
【００３３】
また、ランナー軸１３を捕捉腕２８で係合捕捉した状態においては、ローラ１５のフランジ１５ｂが、受け座１ａ・１ａと捕捉凹部４６の周縁壁５２とに挟まれて、上下に移動規制される。したがって、折り戸が上下に揺すられ、あるいは折り戸に上下方向の強い外部衝撃が加わるような場合でも、フランジ１５ｂを先の周縁壁５２で受け止めて、ランナー軸１３と捕捉腕２８との係合状態を維持できる。つまり、ランナー軸１３が捕捉腕２８から分離して、折り戸が転倒するのを確実に防止できる。
【００３４】
折り戸を吊り込んだ後、必要があれば、保持具９とソケット８との位置を調整して、ランナー軸１３とピボット軸６の中心位置を一致させることにより、折り戸を適正に開閉操作できる。折り戸を取り外す場合には、捕捉腕２８をばね２９の付勢力に抗して係合解除方向に回転させると、捕捉凹部４６とランナー軸１３との係合状態が解除されるので、ローラ１５を捕捉空間Ｓから取り出すことができる。
【００３５】
図１０ないし図１３は保持ベース２６の変形例を示す。上記の実施例では、保持ベース２６は、締結ベース３３のビス孔４０にビス４１を挿通してねじ込んで、保持ベース２６を上ガイドレール１に固定したが、この実施例では、保持ベース２６と狭持片５４とで上ガイドレール１の受け座１ａを上下に挟持する状態で固定する。
【００３６】
図１０および図１１に示すように、保持ベース２６は、揺動軸２７を軸支する吊元ブロック５５と、吊元ブロック５５の前後面の下部に張り出し形成されて上ガイドレール１の受け座１ａの下面に当接する支持片５６とを一体に備えた凸字状のプラスチック成形品からなる。吊元ブロック５５の捕捉腕２８との接合面３５には、ばね２９を収容するばね凹部３６が部分円弧状に形成され、ばね凹部３６の一端側にストッパー３７が突設してある。吊元ブロック５５の下面中央には、捕捉腕２８を軸支する支持筒３８が形成してある。支持筒３８の下面から保持ベース２６の上面に向かって、揺動軸２７用の軸孔３９が上下貫通状に形成してある。吊元ブロック５６の上面の前面右隅および後面左隅には、後述する狭持片５４の回転を規制する規制壁５７・５７がそれぞれ突設してある（図１２参照）。
【００３７】
図１１および図１２に示すように、狭持片５４は、長六角形状の金属板からなり、一組の対角を下方に折曲げ成形して爪５８・５８を形成してある。狭持片５４の中央には、上下に貫通するねじ孔５９が形成してある。狭持片５４の長手方向（各爪５８を結ぶ方向）の寸法は、上ガイドレール１の前後壁の対向間隔よりも長く設定してあり、幅方向の寸法は、上ガイドレール１の受け座１ａ・１ａの対向間隔よりも短く設定してある。
【００３８】
図１１に示すように、吊元ブロック５５で軸支される揺動軸２７は、揺動軸２７を回転操作するための六角形の操作部６０と、狭持片５５のねじ孔５９にねじ込まれるねじ部６１とが形成してある。ねじ部６１の下端には、止め輪６３を装着するための溝６２が円周状に形成してある。
【００３９】
保持ベース２６と捕捉腕２８とは、以下の手順で組み立てる。まず、保持ベース２６のばね凹部３６にばね２９を嵌め込んで、ばね２９の両端をストッパー３７とばね凹部３６の端面で受け止める。次に、捕捉腕２８の基端部４４を保持ベース２６の吊元ブロック５５に接合して、ボス孔４９を支持筒３８に嵌め込み、同時にばね凹部５１を先のばね凹部３６に被せ付ける。これにより、ばね２９およびストッパー３７がばね凹部５１内に収容されて、保持ベース２６と捕捉腕２８との両接合面３５・５０が密着する。次に、揺動軸２７を保持ベース２６の軸孔３９に捕捉腕２８側から差し込み、保持ベース２６の上面側に露出した溝６２に止め輪６３を装着して、捕捉腕２８を保持ベース２６に分離不能に組み付ける。この状態で、捕捉腕２８は保持ベース２６で水平揺動可能に軸支され、ばね２９で係合方向に揺動付勢される。また、ストッパー３７によって、捕捉腕２８が係合方向へ揺動するときの揺動限界が規定される。最後にねじ部６１に狭持片５４をねじ込み、揺動軸２７の先端をかしめて狭持片５４の抜け止めをはかる。
【００４０】
狭持片５４は規制壁５７・５７の間に位置した状態でねじ部６１に組み付けられる。これは、狭持片５４は揺動軸２７を回転操作したときにねじ部６１と共回りをするが、規制壁５７に当接させることで狭持片５４の回転を規制して、揺動軸２７の回転を狭持片５４の上下移動に変換するためである。これにより、狭持片５４は、揺動軸２７をねじの締め込み方向（時計回り）に回転操作すると、ねじ部６１と同行回転したのち規制壁５７あるいは上ガイドレール１の前後壁で回転が規制され下方向へと移動する。逆に揺動軸２７をねじの緩み方向（反時計回り）に回転操作すると、ねじ部６１と同行回転したのち規制壁５７によって回転が規制され上方向へと移動する。
【００４１】
保持具９の上ガイドレール１への取り付けは、開口枠にあらかじめ上ガイドレール１を取り付けた状態で行う。まず揺動軸２７を緩み方向に回転操作して、狭持片５４を上方向に移動させておく。この状態では、狭持片５４の爪５８がレール長さ方向に向いた状態となっているので、上ガイドレール１の受け座１ａ・１ａの間に挿入することができる。次に保持ベース２６を上ガイドレール１の受け座１ａ・１ａの間に挿入して、受け座１ａに支持片５７が接触した状態で揺動軸２７を締め込み方向に回転操作する。揺動軸２７のねじ込み操作操作に伴って、狭持片５４がねじ部６１と同行回転し、その爪５８・５８が上ガイドレール１の前後壁に当接して回転が規制される。さらに、ねじ込み操作すると、狭持片５４の全体が下降し、爪５８の先端が受け座１ａの上面に押し付けられる。これにより、受け座１ａを狭持片５４と支持片５６とで上下に狭持して、保持具９を上ガイドレール１に固定できる。このとき、爪５８の先端が受け座１ａの上面にくい込むので上ガイドレール１にしっかりと固定することができる。
【００４２】
保持具９の位置調整を行う場合は、揺動軸２７を緩み方向に回転操作して、狭持片５４と支持片５６による狭持状態を解除することにより、保持具９を移動させることができる。以上のように構成した保持具９は、揺動軸２７を回転操作するだけの簡単な操作で、狭持片５４を上下に移動して、保持具９の位置の固定と解除が行えるので吊り込み位置を簡単に調整でき、施工性の向上に貢献できる。また、既存の上ガイドレール１に対しても保持具９を簡便に装着できる。
【００４３】
本発明の折り戸用のランナー保持具は、上ランナーの固定と解除が容易に行なえるので、吊車型のランナーで吊り下げ支持されるフリー折り戸において、ランナー軸を捕捉係合するための簡易ストッパーとして使用することができる。捕捉腕２８を揺動付勢するばね２９は、キックばねや引っ張りばねで形成することができる。捕捉腕２８は揺動軸２７で直接軸支することができる。
【図面の簡単な説明】
【００４４】
【図１】折り戸のピボット構造を示す縦断正面図である。
【図２】折り戸の概略構造を示す正面図である。
【図３】保持具の分解斜視図である。
【図４】図１におけるＡ−Ａ線断面図である。
【図５】図１におけるＢ−Ｂ線断面図である。
【図６】図１におけるＣ−Ｃ線断面図である。
【図７】折り戸の取り付け途中状態を示す縦断面図である。
【図８】捕捉腕の動作を示す動作説明図である。
【図９】ばねの圧縮状態を示す断面図である。
【図１０】保持ベースの変形例を示す縦断正面図である。
【図１１】図１０におけるＤ−Ｄ線断面図である。
【図１２】図１０におけるＥ−Ｅ線断面図である。
【図１３】変形例における保持具の斜視図である。
【符号の説明】
【００４５】
１  上ガイドレール
２  下ガイドレール
５  上ランナー
８  ソケット
９  保持具
１３  ランナー軸
２６  保持ベース
２７  揺動軸
２８  捕捉腕
２９  ばね
４６  捕捉凹部
４７  係脱口
４８  係合案内部
Ｐ１  吊元側の戸パネル
Ｐ２  移動側の戸パネル
Ｓ  捕捉空間
【図１】
2009256984.tif 000003
【図２】
2009256984.tif 000004
【図３】
2009256984.tif 000005
【図４】
2009256984.tif 000006
【図５】
2009256984.tif 000007
【図６】
2009256984.tif 000008
【図７】
2009256984.tif 000009
【図８】
2009256984.tif 000010
【図９】
2009256984.tif 000011
【図１０】
2009256984.tif 000012
【図１１】
2009256984.tif 000013
【図１２】
2009256984.tif 000014
【図１３】
2009256984.tif 000015